(57)【要約】【課題】情報記録媒体に記録された情報を光学的に読み取る情報読取装置において、情報記録媒体が配置される媒体配置部に、情報記録媒体の端部を上側から押えるための媒体押え機構が着脱可能になっていても、情報記録媒体に記録された情報を正確に読み取ることが可能となる情報読取装置の使用方法を提供する。【解決手段】この情報読取装置の使用方法では、媒体押え機構１２が媒体配置部１６に取り付けられているときの、前後方向における接触面４２ｆの位置を第１位置とすると、媒体押え機構１２を媒体配置部１６から取り外した状態で載置部材３に調整用媒体を載置し、第１位置よりも前側のみから調整用媒体の上面に光を照射して、撮像素子で取得される画像データに基づいてシェーディング補正用の補正データを取得するとともに、情報記録媒体の上面に記録された情報を読み取るときに、第１位置よりも前側のみから情報記録媒体の上面に光を照射する。【選択図】図２
2020119451.tif 000002
【特許請求の範囲】
【請求項１】
情報記録媒体に記録された情報を光学的に読み取る情報読取装置の使用方法であって、
前記情報読取装置は、前記情報記録媒体が載置される透明な載置部材と、前記載置部材に載置された前記情報記録媒体の下面に光を照射する第１の照明と、前記載置部材に載置された前記情報記録媒体の上面に光を照射する第２の照明と、前記載置部材に載置された前記情報記録媒体の下面に記録された情報を読み取るための第１の光学系と、前記載置部材に載置された前記情報記録媒体の上面に記録された情報を読み取るための第２の光学系と、前記第２の光学系を通過した光が入射する撮像素子とを備えるとともに、前記情報読取装置への前記情報記録媒体の挿入方向側を奥側とし、前記情報読取装置からの前記情報記録媒体の抜取り方向側を前側とし、前記情報読取装置に対する前記情報記録媒体の挿入抜取り方向を前後方向とし、上下方向と前後方向とに直交する方向を左右方向とすると、前記載置部材に載置される前記情報記録媒体よりも上側に配置される上面部と前記上面部の左右の両端側に繋がる側面部と前記上面部の奥端側に繋がる奥面部とを有するカバー部材を備え、
前記側面部の下端および前記奥面部の下端は、前記載置部材の上面に接触しており、
前記載置部材と前記カバー部材とによって、前面が開口するとともに前記情報記録媒体の少なくとも一部が配置される箱状の媒体配置部が形成され、
前記側面部は、透明になっており、
前記第２の照明は、左右方向における前記媒体配置部の両外側のそれぞれに配置され、
前記第２の照明から射出され前記側面部を透過した光が、前記載置部材に載置される前記情報記録媒体の上面に照射され、
前記媒体配置部には、前記情報記録媒体としての第１の情報記録媒体の左右方向の両端部のそれぞれの少なくとも一部分に上側から接触して前記第１の情報記録媒体の左右方向の両端部の少なくとも一部分を上側から押える２個の押え部と、前記情報記録媒体としての第２の情報記録媒体の奥端が接触する接触面が形成される接触部とを有する媒体押え機構が着脱可能になっており、
２個の前記押え部は、前後方向に平行な直線状に形成され、
２個の前記押え部の奥端部は、接続部によって接続され、
前記第１の情報記録媒体の、前記載置部材に載置された部分の前後方向の幅は、前記第２の情報記録媒体の、前記載置部材に載置された部分の前後方向の幅よりも広くなっており、
２個の前記押え部の左右方向の間隔は、前記第２の情報記録媒体の左右方向の幅よりも広くなっており、
前記第１の情報記録媒体が前記情報読取装置に挿入されると、前記押え部が前記第１の情報記録媒体の左右方向の両端部の少なくとも一部分を上側から押えるとともに、前記接触部が持ち上げられて、前記第１の情報記録媒体の奥端が前記接触部の下側を通過し、
前記第２の情報記録媒体が前記情報読取装置に挿入されると、前記接触面に前記第２の情報記録媒体の奥端が接触し、
前記押え部の上側の、前記接触面よりも前側の部分は、前記第２の照明から射出された光が通過する光通過部となっており、
前記媒体押え機構が前記媒体配置部に取り付けられているときの、前後方向における前記接触面の位置を第１位置とすると、
少なくとも、前記媒体配置部に前記媒体押え機構が取り付けられた状態で前記情報読取装置が使用される場合には、前記情報読取装置の調整時に、前記媒体押え機構を前記媒体配置部から取り外した状態で前記載置部材に調整用媒体を載置し、前記第２の照明を用いて前記第１位置よりも前側のみから前記調整用媒体の上面に光を照射し、前記撮像素子で取得される画像データに基づいてシェーディング補正用の補正データを取得するとともに、前記情報記録媒体の上面に記録された情報を読み取るときに、前記第２の照明を用いて前記第１位置よりも前側のみから前記情報記録媒体の上面に光を照射することを特徴とする情報読取装置の使用方法。
【請求項２】
前記第２の照明は、前記第１位置よりも前側に配置される光源である第１光源と、前記第１位置よりも奥側に配置される光源である第２光源とを備え、
前記補正データの取得時に、前記第２光源を消灯させた状態で前記第１光源を点灯させて前記第１位置よりも前側のみから前記調整用媒体の上面に光を照射し、前記情報記録媒体の上面に記録された情報を読み取るときに、前記第２光源を消灯させた状態で前記第１光源を点灯させて前記第１位置よりも前側のみから前記情報記録媒体の上面に光を照射することを特徴とする請求項１記載の情報読取装置の使用方法。
【請求項３】
前記媒体配置部に前記媒体押え機構が取り付けられた状態で前記情報読取装置が使用される場合、および、前記媒体配置部から前記媒体押え機構が取り外された状態で前記情報読取装置が使用される場合のいずれの場合でも、前記情報読取装置の調整時に、前記媒体押え機構を前記媒体配置部から取り外した状態で前記載置部材に前記調整用媒体を載置し、前記第２光源を消灯させた状態で前記第１光源を点灯させて前記第１位置よりも前側のみから前記調整用媒体の上面に光を照射し、前記補正データを取得するとともに、前記情報記録媒体の上面に記録された情報を読み取るときに、前記第２光源を消灯させた状態で前記第１光源を点灯させて前記第１位置よりも前側のみから前記情報記録媒体の上面に光を照射することを特徴とする請求項２記載の情報読取装置の使用方法。
【請求項４】
前記媒体配置部に前記媒体押え機構が取り付けられた状態で前記情報読取装置が使用される場合、前記情報読取装置の調整時に、前記媒体押え機構を前記媒体配置部から取り外した状態で前記載置部材に前記調整用媒体を載置し、前記第２光源を消灯させた状態で前記第１光源を点灯させて前記第１位置よりも前側のみから前記調整用媒体の上面に光を照射し、前記補正データを取得するとともに、前記情報記録媒体の上面に記録された情報を読み取るときに、前記第２光源を消灯させた状態で前記第１光源を点灯させて前記第１位置よりも前側のみから前記情報記録媒体の上面に光を照射し、
前記媒体配置部から前記媒体押え機構が取り外された状態で前記情報読取装置が使用される場合、前記情報読取装置の調整時に、前記媒体押え機構を前記媒体配置部から取り外した状態で前記載置部材に前記調整用媒体を載置し、前記第１光源および前記第２光源を点灯させて前記調整用媒体の上面に光を照射し、前記補正データを取得するとともに、前記情報記録媒体の上面に記録された情報を読み取るときに、前記第１光源および前記第２光源を点灯させて前記情報記録媒体の上面に光を照射することを特徴とする請求項２記載の情報読取装置の使用方法。
【発明の詳細な説明】
【技術分野】
【０００１】
本発明は、情報記録媒体に記録された情報を光学的に読み取る情報読取装置の使用方法に関する。
【背景技術】
【０００２】
従来、情報記録媒体に記録された情報を光学的に読み取る情報読取装置が知られている（たとえば、特許文献１参照）。特許文献１に記載の情報読取装置によって情報が読み取られる情報記録媒体は、パスポートおよびＩＤカードである。情報記録媒体がパスポートである場合には、パスポートの表紙の裏面に記録された情報が情報読取装置で光学的に読み取られる。情報記録媒体がＩＤカードである場合には、ＩＤカードの両面に記録された情報が情報読取装置で光学的に読み取られる。
【０００３】
特許文献１に記載の情報読取装置は、情報記録媒体が載置される透明なガラス板と、ガラス板に載置された情報記録媒体の下面に光を照射する第１の照明と、ガラス板に載置された情報記録媒体の上面に光を照射する第２の照明と、情報記録媒体の下面に記録された情報を読み取るための第１の光学系と、情報記録媒体の上面に記録された情報を読み取るための第２の光学系と、撮像素子と、第１の光学系を通過した光を撮像素子に結像させるとともに第２の光学系を通過した光を撮像素子に結像させる結像光学系とを備えている。
【０００４】
また、特許文献１に記載の情報読取装置は、ガラス板に載置される情報記録媒体よりも上側に配置される上面部と、上面部の左右の両端側に繋がる２個の側面部と、上面部の奥端側に繋がる奥面部とから構成されるカバー部材を備えている。特許文献１に記載の情報読取装置では、ガラス板とカバー部材とによって、前面が開口するとともに情報記録媒体の少なくとも一部が配置される箱状の媒体配置部が形成されている。
【０００５】
第２の照明は、光源として、白色光を射出する複数の白色ＬＥＤと、赤外光を射出する複数の赤外線ＬＥＤと、紫外光を射出する複数の紫外線ＬＥＤとを備えている。白色ＬＥＤ、赤外線ＬＥＤおよび紫外線ＬＥＤは、基板に実装されている。第２の照明は、ガラス板に載置される情報記録媒体よりも上側に配置されている。また、２個の第２の照明が左右方向における媒体配置部の両外側のそれぞれに配置されており、第２の照明は、ガラス板に載置される情報記録媒体に向かって左右方向の外側から、かつ、斜め上側から光を照射する。また、第２の照明から射出されカバー部材の側面部を透過した光が、ガラス板に載置される情報記録媒体の上面に照射される。
【０００６】
さらに、特許文献１に記載の情報読取装置は、ガラス板に載置されたパスポートの左右方向の両端部を上側から押えるための媒体押え機構を備えている。媒体押え機構は、パスポートの左右方向の両端部を上側から押える２個の押え部を有する押え部材と、ＩＤカードの奥端が接触する接触部を有する接触部材と、押え部材および接触部材を保持する保持部材と、保持部材に対して押え部材を下側に付勢する圧縮コイルバネとを備えている。媒体押え機構は、媒体配置部の中に配置されている。特許文献１に記載の情報読取装置では、圧縮コイルバネを撓ませることで媒体配置部の中に配置される媒体押え機構を媒体配置部から容易に取り外すことが可能になっている。すなわち、媒体押え機構は、媒体配置部に着脱可能になっている。
【０００７】
２個の押え部は、前後方向に平行な直線状に形成されている。２個の押え部の奥端部は、接続部によって繋がれている。押え部は、ガラス板に載置されたパスポートの左右方向の両端部のそれぞれのほぼ全体に上側から接触してパスポートの左右方向の両端部のほぼ全体を上側から押えており、２個の押え部の左右方向の間隔は、パスポートの左右方向の幅よりも狭くなっている。一方、２個の押え部の左右方向の間隔は、ＩＤカードの左右方向の幅よりも広くなっている。
【０００８】
接触部の左右方向の幅は、２個の押え部の左右方向の間隔よりも狭くなっており、接触部は、前後方向から見たときに２個の押え部の間に配置されている。接触部の前面は、ＩＤカードの奥端が接触する接触面となっている。接触面は、押え部材の接続部の前端よりもわずかに前側に配置されている。押え部の上側は、第２の照明から射出されカバー部材の側面部を透過した光が、ガラス板に載置される情報記録媒体の上面に向かって通過する光通過部となっている。なお、第２の照明が有する複数の白色ＬＥＤ、赤外線ＬＥＤおよび紫外線ＬＥＤの中の、いくつかの白色ＬＥＤ、赤外線ＬＥＤおよび紫外線ＬＥＤは、接触部材の接触面よりも奥側に配置されている。
【先行技術文献】
【特許文献】
【０００９】
【特許文献１】特開２０１８−１９０３６７号公報
【発明の概要】
【発明が解決しようとする課題】
【００１０】
特許文献１に記載の情報読取装置のように、情報記録媒体に記録された情報を光学的に読み取る装置では、一般に、撮像素子で取得される画像データから照明ムラの影響を取り除くためのシェーディング補正が行われる。特許文献１に記載の情報読取装置においてシェーディング補正用の補正データを取得するときには、たとえば、白色無地の調整用媒体をガラス板に載置するとともに、第１の照明または第２の照明から調整用媒体に光を照射し、撮像素子で取得された画像データに基づいてシェーディング補正用の補正データを取得する。
【００１１】
ここで、特許文献１に記載の情報読取装置では、上述のように、第２の照明が有する複数の白色ＬＥＤ、赤外線ＬＥＤおよび紫外線ＬＥＤの中の、いくつかの白色ＬＥＤ、赤外線ＬＥＤおよび紫外線ＬＥＤは、接触部材の接触面よりも奥側に配置されており、接触部材の接触面よりも奥側に配置されているＬＥＤから照射される光は、接触部材の接触面よりも奥側に配置される押え部材の接続部や保持部材の一部分によって遮られるため、情報記録媒体の上面に影が生じる。すなわち、特許文献１に記載の情報読取装置では、接触部材の接触面よりも奥側に配置される媒体押え機構の一部分は、情報記録媒体の上面において照明ムラを生じさせる要因となる。
【００１２】
したがって、本願発明者は、媒体押え機構が媒体配置部に取り付けられて使用される特許文献１に記載の情報読取装置において、接触部材の接触面よりも奥側に配置される媒体押え機構の一部分に起因する照明ムラの影響も含めたシェーディング補正用の補正データを取得するため、媒体配置部に媒体押え機構を取り付けた状態で、第２の照明から調整用媒体に光を照射し、撮像素子で取得された画像データに基づいてシェーディング補正用の補正データを取得することにした。
【００１３】
しかしながら、特許文献１に記載の情報読取装置では、媒体押え機構は、圧縮コイルバネを撓ませることで媒体配置部に対して着脱されるため、シェーディング補正用の補正データを取得したときの媒体押え機構の位置と、情報記録媒体に記録された情報を実際に読み取るときの媒体押え機構の位置とがずれるおそれがある。シェーディング補正用の補正データを取得したときの媒体押え機構の位置と、情報記録媒体に記録された情報を実際に読み取るときの媒体押え機構の位置とがずれた場合、撮像素子で取得された画像データに対してシェーディング補正を行うと、シェーディング補正後の画像データの中に、濃度が異常に高い部分や濃度が異常に低い部分が生じて情報記録媒体の情報を正確に読み取ることができなくなるおそれがある。
【００１４】
そこで、本発明の課題は、情報記録媒体に記録された情報を光学的に読み取る情報読取装置において、情報記録媒体の少なくとも一部が配置される媒体配置部に、情報記録媒体の端部を上側から押えるための媒体押え機構が着脱可能になっていても、情報記録媒体に記録された情報を正確に読み取ることが可能となる情報読取装置の使用方法を提供することにある。
【課題を解決するための手段】
【００１５】
上記の課題を解決するため、本発明の情報読取装置の使用方法は、情報記録媒体に記録された情報を光学的に読み取る情報読取装置の使用方法であって、情報読取装置は、情報記録媒体が載置される透明な載置部材と、載置部材に載置された情報記録媒体の下面に光を照射する第１の照明と、載置部材に載置された情報記録媒体の上面に光を照射する第２の照明と、載置部材に載置された情報記録媒体の下面に記録された情報を読み取るための第１の光学系と、載置部材に載置された情報記録媒体の上面に記録された情報を読み取るための第２の光学系と、第２の光学系を通過した光が入射する撮像素子とを備えるとともに、情報読取装置への情報記録媒体の挿入方向側を奥側とし、情報読取装置からの情報記録媒体の抜取り方向側を前側とし、情報読取装置に対する情報記録媒体の挿入抜取り方向を前後方向とし、上下方向と前後方向とに直交する方向を左右方向とすると、載置部材に載置される情報記録媒体よりも上側に配置される上面部と上面部の左右の両端側に繋がる側面部と上面部の奥端側に繋がる奥面部とを有するカバー部材を備え、側面部の下端および奥面部の下端は、載置部材の上面に接触しており、載置部材とカバー部材とによって、前面が開口するとともに情報記録媒体の少なくとも一部が配置される箱状の媒体配置部が形成され、側面部は、透明になっており、第２の照明は、左右方向における媒体配置部の両外側のそれぞれに配置され、第２の照明から射出され側面部を透過した光が、載置部材に載置される情報記録媒体の上面に照射され、媒体配置部には、情報記録媒体としての第１の情報記録媒体の左右方向の両端部のそれぞれの少なくとも一部分に上側から接触して第１の情報記録媒体の左右方向の両端部の少なくとも一部分を上側から押える２個の押え部と、情報記録媒体としての第２の情報記録媒体の奥端が接触する接触面が形成される接触部とを有する媒体押え機構が着脱可能になっており、２個の押え部は、前後方向に平行な直線状に形成され、２個の押え部の奥端部は、接続部によって接続され、第１の情報記録媒体の、載置部材に載置された部分の前後方向の幅は、第２の情報記録媒体の、載置部材に載置された部分の前後方向の幅よりも広くなっており、２個の押え部の左右方向の間隔は、第２の情報記録媒体の左右方向の幅よりも広くなっており、第１の情報記録媒体が情報読取装置に挿入されると、押え部が第１の情報記録媒体の左右方向の両端部の少なくとも一部分を上側から押えるとともに、接触部が持ち上げられて、第１の情報記録媒体の奥端が接触部の下側を通過し、第２の情報記録媒体が情報読取装置に挿入されると、接触面に第２の情報記録媒体の奥端が接触し、押え部の上側の、接触面よりも前側の部分は、第２の照明から射出された光が通過する光通過部となっており、媒体押え機構が媒体配置部に取り付けられているときの、前後方向における接触面の位置を第１位置とすると、少なくとも、媒体配置部に媒体押え機構が取り付けられた状態で情報読取装置が使用される場合には、情報読取装置の調整時に、媒体押え機構を媒体配置部から取り外した状態で載置部材に調整用媒体を載置し、第２の照明を用いて第１位置よりも前側のみから調整用媒体の上面に光を照射し、撮像素子で取得される画像データに基づいてシェーディング補正用の補正データを取得するとともに、情報記録媒体の上面に記録された情報を読み取るときに、第２の照明を用いて第１位置よりも前側のみから情報記録媒体の上面に光を照射することを特徴とする。
【００１６】
本発明の情報読取装置の使用方法では、情報読取装置の調整時に、媒体押え機構を媒体配置部から取り外した状態で載置部材に載置された調整用媒体の上面に光を照射し、撮像素子で取得される画像データに基づいてシェーディング補正用の補正データを取得している。そのため、本発明では、シェーディング補正用の補正データを取得したときの媒体押え機構の位置と、情報記録媒体の上面に記録された情報を実際に読み取るときの媒体押え機構の位置とがずれることはない。したがって、本発明では、情報記録媒体の上面に記録された情報を実際に読み取るときに、撮像素子で取得された画像データに対してシェーディング補正を行っても、シェーディング補正用の補正データを取得したときの媒体押え機構の位置と、情報記録媒体の上面に記録された情報を実際に読み取るときの媒体押え機構の位置とのずれに起因して、シェーディング補正後の画像データの中に濃度が異常に高い部分や濃度が異常に低い部分が生じるといった不具合が発生することはない。
【００１７】
また、本発明では、押え部の上側の、接触面よりも前側の部分は、第２の照明から射出された光が通過する光通過部となっており、媒体押え機構が媒体配置部に取り付けられているときの、前後方向における接触面の位置を第１位置とすると、情報記録媒体の上面に記録された情報を読み取るときに、第２の照明を用いて第１位置よりも前側のみから情報記録媒体の上面に光を照射している。すなわち、本発明では、情報記録媒体の上面に記録された情報を読み取るときに、第２の照明は、第１位置よりも奥側に配置される接続部等の媒体押え機構の一部分によって光が遮られることのない位置のみから情報記録媒体の上面に光を照射している。そのため、本発明では、情報記録媒体の上面に記録された情報を読み取るときに、媒体配置部に媒体押え機構が取り付けられていても、第１位置よりも奥側に配置される媒体押え機構の一部分に起因する照明ムラが情報記録媒体の上面において発生するのを防止することが可能になる。
【００１８】
さらに、本発明では、情報読取装置の調整時に、第２の照明を用いて第１位置よりも前側のみから調整用媒体の上面に光を照射しているため、シェーディング補正用の補正データを取得するときに調整用媒体の上面に照射される光の照射条件と、情報記録媒体の上面に記録された情報を読み取るときに情報記録媒体の上面に照射される光の照射条件とを同じにすることが可能になる。
【００１９】
このように本発明では、シェーディング補正用の補正データを取得したときの媒体押え機構の位置と、情報記録媒体の上面に記録された情報を実際に読み取るときの媒体押え機構の位置とのずれに起因して、シェーディング補正後の画像データの中に濃度が異常に高い部分や濃度が異常に低い部分が生じるといった不具合が発生することはない。また、本発明では、情報記録媒体の上面に記録された情報を読み取るときに、媒体配置部に媒体押え機構が取り付けられていても、第１位置よりも奥側に配置される媒体押え機構の一部分に起因する照明ムラが情報記録媒体の上面において発生するのを防止することが可能になる。さらに、本発明では、補正データを取得するときに調整用媒体の上面に照射される光の照射条件と、情報記録媒体の上面に記録された情報を読み取るときに情報記録媒体の上面に照射される光の照射条件とを同じにすることが可能になる。したがって、本発明では、媒体配置部に媒体押え機構が着脱可能になっていても、情報記録媒体の上面に記録された情報を正確に読み取ることが可能になる。
【００２０】
本発明において、たとえば、第２の照明は、第１位置よりも前側に配置される光源である第１光源と、第１位置よりも奥側に配置される光源である第２光源とを備え、補正データの取得時に、第２光源を消灯させた状態で第１光源を点灯させて第１位置よりも前側のみから調整用媒体の上面に光を照射し、情報記録媒体の上面に記録された情報を読み取るときに、第２光源を消灯させた状態で第１光源を点灯させて第１位置よりも前側のみから情報記録媒体の上面に光を照射する。この場合には、第１位置よりも奥側に配置される光源である第２光源を第２の照明が備えているため、たとえば、媒体配置部から媒体押え機構が取り外された状態で情報読取装置が使用されるときに、第２光源から情報記録媒体の上面に光を照射することが可能になる。
【００２１】
本発明において、たとえば、媒体配置部に媒体押え機構が取り付けられた状態で情報読取装置が使用される場合、および、媒体配置部から媒体押え機構が取り外された状態で情報読取装置が使用される場合のいずれの場合でも、情報読取装置の調整時に、媒体押え機構を媒体配置部から取り外した状態で載置部材に調整用媒体を載置し、第２光源を消灯させた状態で第１光源を点灯させて第１位置よりも前側のみから調整用媒体の上面に光を照射し、補正データを取得するとともに、情報記録媒体の上面に記録された情報を読み取るときに、第２光源を消灯させた状態で第１光源を点灯させて第１位置よりも前側のみから情報記録媒体の上面に光を照射する。この場合には、媒体配置部に媒体押え機構が取り付けられた状態で情報読取装置が使用されるのか否かに関わらず、共通の補正データを使用することが可能になる。
【００２２】
本発明において、媒体配置部に媒体押え機構が取り付けられた状態で情報読取装置が使用される場合、情報読取装置の調整時に、媒体押え機構を媒体配置部から取り外した状態で載置部材に調整用媒体を載置し、第２光源を消灯させた状態で第１光源を点灯させて第１位置よりも前側のみから調整用媒体の上面に光を照射し、補正データを取得するとともに、情報記録媒体の上面に記録された情報を読み取るときに、第２光源を消灯させた状態で第１光源を点灯させて第１位置よりも前側のみから情報記録媒体の上面に光を照射し、媒体配置部から媒体押え機構が取り外された状態で情報読取装置が使用される場合、情報読取装置の調整時に、媒体押え機構を媒体配置部から取り外した状態で載置部材に調整用媒体を載置し、第１光源および第２光源を点灯させて調整用媒体の上面に光を照射し、補正データを取得するとともに、情報記録媒体の上面に記録された情報を読み取るときに、第１光源および第２光源を点灯させて情報記録媒体の上面に光を照射しても良い。この場合には、媒体配置部から媒体押え機構が取り外された状態で情報読取装置が使用されるときに、情報記録媒体の上面に照射される光の照度を高めることが可能になる。
【発明の効果】
【００２３】
以上のように、本発明では、情報記録媒体に記録された情報を光学的に読み取る情報読取装置において、情報記録媒体の少なくとも一部が配置される媒体配置部に、情報記録媒体の端部を上側から押えるための媒体押え機構が着脱可能になっていても、情報記録媒体に記録された情報を正確に読み取ることが可能になる。
【図面の簡単な説明】
【００２４】
【図１】本発明の実施の形態にかかる情報読取装置の斜視図である。
【図２】図１に示す情報読取装置の載置部材、カバー部材、第１の照明、第２の照明および媒体押え機構を抜き出して示す斜視図である。
【図３】図２に示す載置部材、カバー部材、第１の照明、第２の照明および媒体押え機構の正面図である。
【図４】図１に示す情報読取装置の内部の光路を説明するための側面図である。
【図５】図１に示す情報読取装置のシャッタ機構の動作を説明するための側面図である。
【図６】図２に示す第１の照明および第２の照明の構成を説明するための斜視図である。
【図７】図２に示す媒体押え機構を別の方向から示す斜視図である。
【図８】図２に示す媒体押え機構の分解斜視図である。
【図９】図１に示す情報読取装置に情報記録媒体が挿入された状態を説明するための斜視図である。
【図１０】図１に示す情報読取装置に第１の情報記録媒体が挿入されたときの押え部材および接触部材の動作を説明するための側面図である。
【図１１】図２に示す第２の照明および媒体押え機構の位置関係を説明するための概略図である。
【発明を実施するための形態】
【００２５】
以下、図面を参照しながら、本発明の実施の形態を説明する。
【００２６】
（情報読取装置の概略構成）
図１は、本発明の実施の形態にかかる情報読取装置１の斜視図である。図２は、図１に示す情報読取装置１のガラス板３、カバー部材１５、照明４、５および媒体押え機構１２を抜き出して示す斜視図である。図３は、図２に示すガラス板３、カバー部材１５、照明４、５および媒体押え機構１２の正面図である。図４は、図１に示す情報読取装置１の内部の光路を説明するための側面図である。図５は、図１に示す情報読取装置１のシャッタ機構１４の動作を説明するための側面図である。
【００２７】
本形態の情報読取装置１は、情報記録媒体２に記録された情報を光学的に読み取る装置である。すなわち、情報読取装置１は、情報記録媒体２に印刷等された文字や図形等を読み取る装置である。情報読取装置１は、手動式の読取装置であり、情報読取装置１への情報記録媒体２の挿入と情報読取装置１からの情報記録媒体２の抜取りとが手動で行われる。また、本形態の情報読取装置１は、比較的小さな卓上型の読取装置である。情報読取装置１で読み取られる情報記録媒体２は、パスポート２ＡおよびＩＤカード２Ｂである（図３参照）。
【００２８】
情報記録媒体２がパスポート２Ａである場合には、パスポート２Ａの表紙の裏面に記録された情報が情報読取装置１で光学的に読み取られる。情報記録媒体２がＩＤカード２Ｂである場合には、ＩＤカード２Ｂの両面に記録された情報が情報読取装置１で光学的に読み取られる。本形態のパスポート２Ａは、ＩＣパスポートであり、ＩＣチップおよび通信用のアンテナが内蔵されるＩＣページを備えている。また、ＩＤカード２Ｂは、非接触式のＩＣカードであり、ＩＤカード２Ｂには、ＩＣチップと通信用のアンテナとが内蔵されている。ＩＤカード２Ｂは、長方形状に形成されている。また、ＩＤカード２Ｂは、たとえば、厚さが０．７〜０．８ｍｍ程度の矩形状の塩化ビニール製のカードである。
【００２９】
パスポート２Ａは、開いた状態で情報読取装置１に挿入される。開いた状態で情報読取装置１に挿入されたパスポート２Ａの表紙の厚さ方向は、上下方向と一致している。また、情報読取装置１に挿入されたＩＤカード２Ｂの厚さ方向は、上下方向と一致している。本形態のパスポート２Ａは、第１の情報記録媒体であり、ＩＤカード２Ｂは、第２の情報記録媒体である。なお、図４では、説明の便宜上、パスポート２ＡとＩＤカード２Ｂとが一緒に情報読取装置１に挿入されているが、実際には、パスポート２ＡおよびＩＤカード２Ｂのいずれか一方が情報読取装置１に挿入される。
【００３０】
以下の説明では、情報読取装置１への情報記録媒体２の挿入方向側（図１等のＹ２方向側）を「奥」側または「後ろ」側とし、情報読取装置１からの情報記録媒体２の抜取り方向側（図１等のＹ１方向側）を「前」側とする。また、情報読取装置１に対する情報記録媒体２の挿入抜取り方向（図１等のＹ方向）を「前後方向」とし、上下方向と前後方向とに直交する方向（図１等のＸ方向）を「左右方向」とする。
【００３１】
情報読取装置１は、情報記録媒体２が載置される透明なガラス板３と、ガラス板３に載置された情報記録媒体２の下面に光を照射する照明４と、ガラス板３に載置された情報記録媒体２の上面に光を照射する照明５と、ガラス板３に載置された情報記録媒体２の下面に記録された情報を読み取るための光学系６と、ガラス板３に載置された情報記録媒体２の上面に記録された情報を読み取るための光学系７と、光学系６、７を通過した光が入射する撮像素子８と、光学系６を通過した光を撮像素子８に結像させるとともに光学系７を通過した光を撮像素子８に結像させる結像光学系９と、これらの構成が収容される筐体１０とを備えている。撮像素子８は、二次元のＣＭＯＳイメージセンサまたはＣＣＤイメージセンサである。本形態のガラス板３は、載置部材であり、照明４は、第１の照明であり、照明５は、第２の照明である。また、光学系６は、第１の光学系であり、光学系７は、第２の光学系である。
【００３２】
また、情報読取装置１は、ガラス板３に載置されたパスポート２Ａの左右方向の両端部を上側から押えるための媒体押え機構１２を備えている。また、情報読取装置１は、光学系６を通過した光の一部を結像光学系９に向かって透過させるとともに光学系７を通過した光の一部を結像光学系９に向かって反射するビームスプリッタ１３と、ガラス板３に載置された情報記録媒体２の下面に記録された情報を読み取るときに光学系７からビームスプリッタ１３に入射する光を遮るとともにガラス板３に載置された情報記録媒体２の上面に記録された情報を読み取るときに光学系６からビームスプリッタ１３に入射する光を遮るシャッタ機構１４とを備えている。ビームスプリッタ１３およびシャッタ機構１４は、筐体１０に収容されている。なお、図４では、媒体押え機構１２の図示を省略している。
【００３３】
さらに、情報読取装置１は、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとを有するカバー部材１５を備えている。本形態のカバー部材１５は、上面部１５ａと２個の側面部１５ｂと奥面部１５ｃとによって構成されている。カバー部材１５は、アクリル樹脂等の透明な樹脂で形成されている。奥面部１５ｃには、たとえば、遮光性の塗料が塗布されており、奥面部１５ｃは、奥側へ向かう光を遮断する遮光部となっている。一方、上面部１５ａおよび側面部１５ｂは、透明になっている。
【００３４】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右の両端は、側面部１５ｂの奥端に繋がっている。
【００３５】
ガラス板３は、長方形の平板状に形成されており、ガラス板３の厚さ方向と上下方向とが一致するように配置されている。また、ガラス板３は、ガラス板３の端面が前後方向または左右方向と平行になるように配置されている。側面部１５ｂの下端および奥面部１５ｃの下端は、ガラス板３の上面に接触している。本形態では、ガラス板３とカバー部材１５とによって、前面が開口するとともに情報記録媒体２の少なくとも一部が配置される箱状の媒体配置部１６が形成されている。媒体配置部１６は、直方体の箱状に形成されている。図１に示すように、媒体配置部１６の、前面の開口以外の部分は、筐体１０によって覆われている。
【００３６】
ガラス板３には、ＩＤカード２Ｂの全体が載置される。また、ガラス板３には、開いた状態のパスポート２Ａの背表紙がガラス板３の前端側に配置されるように、パスポート２Ａの一部が載置される。パスポート２Ａは、個人情報が記録された表紙の裏面が下側を向くようにガラス板３に載置される。本形態では、パスポート２Ａの、ガラス板３に載置された部分の前後方向の幅は、ガラス板３に載置されたＩＤカード２Ｂの前後方向の幅（すなわち、ＩＤカード２Ｂの、ガラス板３に載置された部分の前後方向の幅）よりも広くなっている。また、パスポート２Ａの左右方向の幅は、ガラス板３に載置されたＩＤカード２Ｂの左右方向の幅よりも広くなっている。
【００３７】
なお、本形態のパスポート２Ａは、国際民間航空機関（ＩＣＡＯ）が公表したガイドラインに沿って作成されたパスポートである。ガラス板３に載置されるパスポート２Ａの表紙の裏面には、顔写真や氏名等が記載されている。また、パスポート２Ａの表紙の裏面の左右方向の両端部の奥端部分には、文字認識に利用される文字が記録されている。
【００３８】
ガラス板３の下側には、ＩＤカード２Ｂに内蔵される通信用のアンテナと通信を行うためのアンテナ（図示省略）が配置されている。このアンテナは、ガラス板３に載置された情報記録媒体２の下面の情報を光学的に読み取る際に支障の出ない位置に配置されている。また、ガラス板３よりも前側には、図１に示すように、パスポート２Ａに内蔵される通信用のアンテナと通信を行うためのアンテナ１７が配置されている。アンテナ１７は、ガラス板３よりも下側に配置されている。なお、パスポート２Ａの仕様によっては、ガラス板３の下側に配置されるアンテナと、パスポート２Ａに内蔵されるアンテナとの通信が行われることもある。
【００３９】
また、情報読取装置１は、図１に示すように、情報読取装置１の前面側かつ上面側に配置されるカメラ１８を備えている。カメラ１８は、媒体配置部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００４０】
（照明の構成および配置）
図６は、図２に示す照明４、５の構成を説明するための斜視図である。
【００４１】
照明４、５は、複数の光源を備えている。具体的には、照明４、５は、光源として、白色光を射出する複数の白色ＬＥＤ２０と、赤外光を射出する複数の赤外線ＬＥＤ２１と、紫外光を射出する複数の紫外線ＬＥＤ２２とを備えている。また、照明４、５は、複数の白色ＬＥＤ２０と複数の赤外線ＬＥＤ２１と複数の紫外線ＬＥＤ２２とが実装される基板２４と、複数の白色ＬＥＤ２０が射出する白色光と複数の赤外線ＬＥＤ２１が射出する赤外光と複数の紫外線ＬＥＤ２２が射出する紫外光とが入射する照明レンズ２５とを備えている。
【００４２】
基板２４は、細長い長方形の平板状に形成されている。基板２４は、基板２４の長手方向と前後方向とが一致するように配置されている。図６に示すように、基板２４の一方の面には、２個の赤外線ＬＥＤ２１と１個の紫外線ＬＥＤ２２と１個の白色ＬＥＤ２０と２個の赤外光ＬＥＤ２１とから構成されるＬＥＤ組２６が複数個実装されている。本形態では、６個のＬＥＤ組２６が基板２４に実装されている。１個のＬＥＤ組２６を構成する２個の赤外線ＬＥＤ２１と１個の紫外線ＬＥＤ２２と１個の白色ＬＥＤ２０と２個の赤外光ＬＥＤ２１とは、基板２４の長手方向に沿ってこの順番で配置されている。また、６個のＬＥＤ組２６は、基板２４の長手方向に沿って配列されている。すなわち、６個のＬＥＤ組２６は、前後方向に配列されている。なお、基板２４に実装されるＬＥＤ組２６の数は、７個以上であっても良いし、５個以下の複数個であっても良い。
【００４３】
照明レンズ２５は、細長い略直方体状に形成されている。照明レンズ２５は、白色ＬＥＤ２０、赤外線ＬＥＤ２１および紫外線ＬＥＤ２２が実装される基板２４の一方の面に固定されている。照明レンズ２５には、上述のように、複数の白色ＬＥＤ２０が射出する白色光と複数の赤外線ＬＥＤ２１が射出する赤外光と複数の紫外線ＬＥＤ２２が射出する紫外光とが入射する。情報記録媒体２には、照明レンズ２５を透過した光が照射される。なお、照明４、５から照射される赤外光は、ＯＣＲ文字等の機械読取式の印刷情報の読取りに用いられる。また、照明４、５から照射される紫外光は、情報記録媒体２の真偽判定に必要な印刷情報の読取りに用いられる。具体的には、照明４、５から照射される紫外光は、目に見えない蛍光発色インクによる印刷情報の読取りに用いられる。
【００４４】
図３に示すように、照明４は、ガラス板３よりも下側に配置されている。また、情報読取装置１は、２個の照明４を備えており、照明４は、左右方向におけるガラス板３の両外側のそれぞれに配置されている。照明４は、ガラス板３に載置される情報記録媒体２に向かって左右方向の外側から、かつ、斜め下側から光を照射する。また、図３（Ａ）に示すように、照明４から射出されガラス板３を透過した光が、ガラス板３に載置される情報記録媒体２の下面に照射される。
【００４５】
照明５は、ガラス板３に載置される情報記録媒体２よりも上側に配置されている。また、情報読取装置１は、２個の照明５を備えており、照明５は、左右方向における媒体配置部１６の両外側のそれぞれに配置されている。すなわち、２個の照明５のうちの一方の照明５は、右側に配置される側面部１５ｂの右側に配置され、２個の照明５のうちの他方の照明５は、左側に配置される側面部１５ｂの左側に配置されている。照明５は、ガラス板３に載置される情報記録媒体２に向かって左右方向の外側から、かつ、斜め上側から光を照射する。また、図３（Ｂ）に示すように、照明５から射出され側面部１５ｂを透過した光が、ガラス板３に載置される情報記録媒体２の上面に照射される。
【００４６】
（光学系、結像光学系、ビームスプリッタ、撮像素子の構成および配置）
光学系６は、長方形の平板状に形成された３個の反射ミラー３０、３１、３２を備えている。反射ミラー３０は、ガラス板３に載置されるパスポート２Ａの下側に配置されている。また、反射ミラー３０は、ガラス板３の下側に配置されている。反射ミラー３１は、反射ミラー３０と略同じ高さに配置されるとともに、反射ミラー３０よりも後ろ側に配置されている。反射ミラー３２は、媒体配置部１６の後ろ側（カバー部材１５の奥面部１５ｃの後ろ側）に配置されている。また、反射ミラー３２は、反射ミラー３１の上側に配置されている。反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。
【００４７】
光学系７は、長方形の平板状に形成された２個の反射ミラー３３、３４を備えている。反射ミラー３３は、ガラス板３に載置されるＩＤカード２Ｂの上側に配置されている。また、反射ミラー３３は、カバー部材１５の上面部１５ａの上側（媒体配置部１６の上側）に配置されている。反射ミラー３４は、反射ミラー３３と略同じ高さに配置されるとともに、ガラス板３よりも後ろ側（すなわち、媒体配置部１６よりも後ろ側）に配置されている。反射ミラー３３には、ガラス板３に載置された情報記録媒体２の上面で反射された光が入射する。反射ミラー３４には、反射ミラー３３で反射された光が入射する。
【００４８】
結像光学系９は、結像レンズ３５を備えている。結像レンズ３５は、反射ミラー３２の後ろ側に配置されている。また、結像レンズ３５は、反射ミラー３４よりも後ろ側に配置されている。撮像素子８は、結像レンズ３５の後ろ側に配置されている。撮像素子８は、撮像素子８の撮像面が前側を向くように配置されている。
【００４９】
ビームスプリッタ１３は、長方形の平板状に形成されている。ビームスプリッタ１３は、前後方向において、反射ミラー３２と結像レンズ３５との間に配置されている。また、ビームスプリッタ１３は、反射ミラー３４の下側に配置されている。ビームスプリッタ１３は、反射ミラー３２で反射された光の半分を結像レンズ３５に向かって透過させるとともに、反射ミラー３４で反射された光の半分を結像レンズ３５に向かって反射する。
【００５０】
（シャッタ機構の構成）
シャッタ機構１４は、光学系６とビームスプリッタ１３との間の光路（すなわち、反射ミラー３２とビームスプリッタ１３との間の光路）を遮る第１遮光位置３７Ａ（図５（Ｂ）参照）と、光学系７とビームスプリッタ１３との間の光路（すなわち、反射ミラー３４とビームスプリッタ１３との間の光路）を遮る第２遮光位置３７Ｂ（図５（Ａ）参照）との間で移動可能なシャッタ３７を備えている。シャッタ３７は、反射ミラー３２、３４とビームスプリッタ１３との間の光路を遮る遮光部３７ａを備えている。また、シャッタ機構１４は、第１遮光位置３７Ａと第２遮光位置３７Ｂとの間でシャッタ３７を移動させるシャッタ駆動機構を備えている。
【００５１】
（媒体押え機構の構成）
図７は、図２に示す媒体押え機構１２を別の方向から示す斜視図である。図８は、図２に示す媒体押え機構１２の分解斜視図である。図９は、図１に示す情報読取装置１に情報記録媒体２が挿入された状態を説明するための斜視図である。図１０は、図１に示す情報読取装置１にパスポート２Ａが挿入されたときの押え部材４１および接触部材４２の動作を説明するための側面図である。
【００５２】
媒体押え機構１２は、媒体配置部１６に着脱可能となっている。媒体配置部１６に媒体押え機構１２が取り付けられた状態で情報読取装置１が使用される場合には、媒体押え機構１２は、媒体配置部１６の中に配置されている。媒体押え機構１２は、パスポート２Ａの左右方向の両端部を上側から押える２個の押え部４１ａを有する押え部材４１と、ＩＤカード２Ｂの後端が接触する接触部４２ａを有する接触部材４２と、押え部材４１および接触部材４２を保持する保持部材４３とを備えている。また、媒体押え機構１２は、保持部材４３に対して押え部材４１を下側に付勢する圧縮コイルバネ４４、４５を備えている。本形態の媒体押え機構１２は、２個の圧縮コイルバネ４４と２個の圧縮コイルバネ４５との合計４個の圧縮コイルバネ４４、４５を備えている。
【００５３】
保持部材４３は、樹脂で形成されている。保持部材４３は、媒体押え機構１２の上面を構成する上面部４３ａと、媒体押え機構１２の後面を構成する後面部４３ｂと、媒体押え機構１２の後端側の左右の側面を構成する側面部４３ｃとを備えている。上面部４３ａは、左右方向の長さが長い略長方形の平板状に形成される基部４３ｄと、基部４３ｄの左右の両端側から前側に向かって突出する２個の突出部４３ｅとから構成されている。基部４３ｄは、基部４３ｄの厚さ方向と上下方向とが一致するように配置されている。突出部４３ｅは、前後方向の長さが長い略長方形の平板状に形成されており、突出部４３ｅの厚さ方向と上下方向とが一致するように配置されている。
【００５４】
後面部４３ｂは、左右方向の長さが長い略長方形の平板状に形成されており、後面部４３ｂの厚さ方向と前後方向とが一致するように配置されている。後面部４３ｂの上端は、基部４３ｄの後端に繋がっている。側面部４３ｃは、略長方形の平板状に形成されており、側面部４３ｃの厚さ方向と左右方向とが一致するように配置されている。側面部４３ｃの上端は、基部４３ｄの左右の両端のそれぞれに繋がり、側面部４３ｃの後端は、後面部４３ｂの左右の両端のそれぞれに繋がっている。
【００５５】
上面部４３ａの上面には、上側に向かって突出する２個の突起４３ｆと２個の突起４３ｇとが形成されている。突起４３ｆは、２個の突出部４３ｅのそれぞれの前端側部分に形成されている。突起４３ｇは、基部４３ｄの左右方向の両端側のそれぞれに形成されている。突起４３ｆの上面は、上下方向に直交する平面となっている。突起４３ｇは、半球状に形成されている。媒体押え機構１２が媒体配置部１６の中に配置されているときには、突起４３ｆの上面および突起４３ｇの上端は、カバー部材１５の上面部１５ａの下面に接触している。
【００５６】
突出部４３ｅの前端側には、下側に向かって突出する円柱状のバネ保持部４３ｈが形成されている。バネ保持部４３ｈは、圧縮コイルバネ４４の内周側に挿入されている。基部４３ｄには、圧縮コイルバネ４５の内周側に挿入される軸部４７ａが形成されるバネ保持部材４７が固定されている。バネ保持部材４７は、軸部４７ａが基部４３ｄから下側へ突出するように、基部４３ｄの上面側に固定されている。バネ保持部材４７には、２個の軸部４７ａが形成されている。
【００５７】
側面部４３ｃには、保持部材４３に対して押え部材４１を上下方向へ案内するためのガイド溝４３ｊが形成されている。ガイド溝４３ｊは、左右方向で側面部４３ｃを貫通しており、上下方向を長手方向とする長穴状に形成されている。また、側面部４３ｃには、押え部材４１に形成される後述のガイドピン４１ｇをガイド溝４３ｊに嵌めるための切欠き部４３ｋが形成されている。切欠き部４３ｋは、ガイド溝４３ｊの上端部と側面部４３ｃの前端面との間に形成されている。
【００５８】
押え部材４１は、樹脂で形成されている。押え部材４１は、上述のように、２個の押え部４１ａを備えている。押え部４１ａは、前後方向の長さが長い直線状に形成されている。すなわち、押え部４１ａは、前後方向に平行な直線状に形成されている。具体的には、押え部４１ａは、前後方向の長さが長い板状に形成されている。また、押え部材４１は、２個の押え部４１ａのそれぞれの前端に繋がるガイド部４１ｂと、２個の押え部４１ａの後端部（奥端部）を繋ぐ接続部４１ｃとを備えている。接続部４１ｃは、押え部４１ａの後端部の上側同士を接続している。
【００５９】
押え部４１ａの下面は、上下方向に直交する平面となっている。ただし、押え部４１ａの下面には、上側に向かって窪む肉盗み部４１ｄが形成されている（図７参照）。押え部４１ａの上面４１ｅは、左右方向の内側に向かうにしたがって下側に向かうように傾斜する傾斜面となっている。すなわち、右側に配置される押え部４１ａの上面４１ｅは、左側に向かうにしたがって下側に向かうように傾斜する傾斜面となっており、左側に配置される押え部４１ａの上面４１ｅは、右側に向かうにしたがって下側に向かうように傾斜する傾斜面となっている。
【００６０】
押え部４１ａは、ガラス板３に載置されたパスポート２Ａの左右方向の両端部（具体的には、パスポート２Ａの表紙の左右方向の両端部）のそれぞれの少なくとも一部分に上側から接触してパスポート２Ａの左右方向の両端部の少なくとも一部分を上側から押える機能を果たしている。本形態の押え部４１ａは、ガラス板３に載置されたパスポート２Ａの左右方向の両端部（パスポート２Ａの表紙の左右方向の両端部）のそれぞれのほぼ全体に上側から接触してパスポート２Ａの左右方向の両端部のほぼ全体を上側から押えている。そのため、２個の押え部４１ａの左右方向の間隔は、パスポート２Ａの左右方向の幅よりも狭くなっている（図９（Ａ）参照）。一方、２個の押え部４１ａの左右方向の間隔は、ＩＤカード２Ｂの左右方向の幅よりも広くなっている（図３（Ｂ）、図９（Ｂ）参照）。
【００６１】
押え部４１ａの後端部には、接触部材４２に下側から接触して接触部４２ａを押し上げる押上部４１ｆが形成されている。すなわち、押え部材４１の左右方向の両端側のそれぞれには、押上部４１ｆが形成されている。また、押え部材４１の後端部に押上部４１ｆが形成されている。押上部４１ｆは、接続部４１ｃの下側に配置されている。押上部４１ｆの上面は、左右方向から見たときの形状が円弧となる凸曲面状に形成されている。
【００６２】
ガイド部４１ｂの下面は、左右方向から見たときの形状が円弧となる凸曲面状に形成されている。また、ガイド部４１ｂの下面は、前側に向かうにしたがって上側へ向かうように傾斜している。ガイド部４１ｂの左右方向の内側面は、上下方向から見たときの形状が円弧となる凹曲面状に形成されている。また、ガイド部４１ｂの左右方向の内側面は、前側に向かうにしたがって左右方向の外側に広がっている。ガイド部４１ｂは、情報読取装置１に挿入されるパスポート２Ａを押え部４１ａの下側に案内する機能を果たしている。また、ガイド部４１ｂは、情報読取装置１に挿入されるＩＤカード２Ｂを２個の押え部４１ａの間に案内する機能を果たしている。
【００６３】
ガイド部４１ｂの後端部および押え部４１ａは、保持部材４３の突出部４３ｅの下側に配置されている。接続部４１ｃは、保持部材４３の基部４３ｄの下側に配置されている。圧縮コイルバネ４４の下端は、ガイド部４１ｂの後端部の上面に接触し、圧縮コイルバネ４５の下端は、接続部４１ｃの上面に接触している。すなわち、押え部材４１は、圧縮コイルバネ４４、４５によって保持部材４３に対して下側に付勢されており、保持部材４３に対して上下動可能となっている。情報読取装置１にパスポート２Ａが挿入されていないときには、圧縮コイルバネ４４、４５の付勢力によって、押え部４１ａの下面は、ガラス板３の上面に接触している。本形態では、圧縮コイルバネ４４、４５を撓ませることで、媒体配置部１６の中に配置される媒体押え機構１２を媒体配置部１６から容易に取り外すことが可能になっている。
【００６４】
接続部４１ｃの左右の両側面のそれぞれには、左右方向の外側に突出するガイドピン４１ｇが形成されている。ガイドピン４１ｇは、円柱状に形成されている。ガイドピン４１ｇは、左右方向において押上部４１ｆよりも外側に配置されている。また、左右方向から見たときに、ガイドピン４１ｇは、押上部４１ｆの真上に配置されている。２本のガイドピン４１ｇのそれぞれは、左右方向の内側から２個のガイド溝４３ｊのそれぞれに係合している。押え部材４１は、ガイドピン４１ｇとガイド溝４３ｊとによって、保持部材４３に対して上下方向に案内される。また、押え部材４１は、ガイドピン４１ｇを中心にして、かつ、左右方向を回動の軸方向として保持部材４３に対して回動可能となっている。
【００６５】
接触部材４２は、樹脂で形成されている。また、接触部材４２は、押え部材４１と別体で形成されており、押え部材４１の接続部４１ｃの下側に配置されている。接触部材４２は、上述のように、接触部４２ａを備えている。また、接触部材４２は、接触部４２ａを支持する支持部４２ｂを備えている。接触部４２ａは、左右方向の長さが長い平板状に形成されており、接触部４２ａの厚さ方向と前後方向とが略一致するように配置されている。接触部４２ａの前面は、ＩＤカード２Ｂの後端（奥端）が接触する接触面４２ｆとなっている。すなわち、接触部４２ａには、接触面４２ｆが形成されている。支持部４２ｂは、左右方向の長さが長い略平板状に形成されており、支持部４２ｂの厚さ方向と上下方向とが略一致するように配置されている。接触部４２ａは、支持部４２ｂの前端から下側へ伸びている。
【００６６】
接触部４２ａの左右方向の幅は、２個の押え部４１ａの左右方向の間隔よりも狭くなっている。また、接触部４２ａは、前後方向から見たときに２個の押え部４１ａの間に配置されている。接触部４２ａの下面の左右方向における中央部分には、上側に窪む凹部４２ｃが形成されている。凹部４２ｃは、前後方向から見たときの形状が円弧となる凹曲面状に形成されている。凹部４２ｃの左右方向の幅は、ガラス板３に載置されたＩＤカード２Ｂの左右方向の幅よりも狭くなっている。凹部４２ｃの左右方向の外側は、上下方向に略直交する平面となっている。すなわち、接触部４２ａの下端面は、上下方向に略直交する平面となっている。
【００６７】
支持部４２ｂの左右の両端面には、左右方向の外側に突出するピン４２ｄが形成されている。ピン４２ｄは、支持部４２ｂの後端部に形成されている。ピン４２ｄは、保持部材４３に形成される凹部に係合している。この凹部は、左右方向における側面部４３ｃの内側面から左右方向の外側に向かって窪むように形成されている。２本のピン４２ｄのそれぞれは、左右方向の内側から２個の凹部のそれぞれに挿入されている。接触部材４２は、ピン４２ｄを中心にして、かつ、左右方向を回動の軸方向として保持部材４３に対して回動可能となっている。ピン４２ｄは、ガイド溝４３ｊよりも後ろ側に配置されるとともに、ガイド溝４３ｊの下端よりも下側に配置されている。支持部４２ｂの左右方向の両端側のそれぞれには、押え部材４１の押上部４１ｆが下側から接触している。押上部４１ｆは、ピン４２ｄよりも前側に配置されている。
【００６８】
情報読取装置１に情報記録媒体２が挿入されていない状態では、接触部４２ａの下端面は、上下方向に直交する平面となっており、ガラス板３の上面に接触している。また、この状態では、接触面４２ｆは、前後方向に直交する平面となっている。また、この状態では、接触面４２ｆは、押え部材４１の接続部４１ｃの前端よりもわずかに前側に配置されている。ガラス板３の前端面と接触面４２ｆとの前後方向の距離は、ガラス板３に載置されるパスポート２Ａの表紙の前後方向の幅よりも短くなっている（図９（Ａ）参照）。また、ガラス板３の前端面と接触面４２ｆとの前後方向の距離は、ガラス板３に載置されるＩＤカード２Ｂの前後方向の幅よりも長くなっている（図９（Ｂ）参照）。
【００６９】
本形態では、媒体配置部１６に媒体押え機構１２が取り付けられた状態で、情報読取装置１にパスポート２Ａが挿入され始めると、パスポート２Ａが押え部材４１の押え部４１ａの下側に入り込んで押え部４１ａの前端側が持ち上がる（図１０（Ａ）参照）。また、パスポート２Ａが情報読取装置１の所定の位置まで入り込むと、図１０（Ｂ）に示すように、押上部４１ｆが持ち上がる。そのため、情報読取装置１にパスポート２Ａが挿入されて所定位置まで入り込むと、支持部４２ｂが押上部４１ｆに押し上げられて、接触部材４２がピン４２ｄを中心にして回動する。具体的には、図１０（Ｂ）に示すように、図１０の時計回りの方向に接触部材４２が回動して、接触部４２ａが持ち上がる。
【００７０】
上述のように、押上部４１ｆは、保持部材４３に対する接触部材４２の回動中心となるピン４２ｄよりも前側に配置されている。また、接触部４２ａは、押上部４１ｆよりも前側に配置されている。そのため、接触部４２ａが持ち上がったときの接触部４２ａの上昇量は、パスポート２Ａによって持ち上げられる押上部４１ｆの上昇量よりも大きくなっている。情報読取装置１にパスポート２Ａが挿入されると、パスポート２Ａの奥端（表紙の奥端）は、接触部４２ａの下側を通過して、接触部４２ａよりも奥側に入り込む。
【００７１】
このように本形態では、パスポート２Ａが情報読取装置１に挿入されると、押え部４１ａがパスポート２Ａによって持ち上げられてパスポート２Ａの左右方向の両端部を上側から押えるとともに、接触部４２ａが持ち上げられて、パスポート２Ａの奥端が接触部４２ａの下側を通過する。また、パスポート２Ａが情報読取装置１に挿入されると、押え部４１ａの上昇動作に連動して、接触部４２ａが持ち上げられる。
【００７２】
一方、上述のように、ガラス板３に載置されるＩＤカード２Ｂの左右方向の幅は、２個の押え部４１ａの左右方向の間隔よりも狭くなっている。そのため、媒体配置部１６に媒体押え機構１２が取り付けられた状態で、情報読取装置１にＩＤカード２Ｂが挿入されても、押え部４１ａが持ち上がらず、押上部４１ｆは持ち上がらない。したがって、情報読取装置１にＩＤカード２Ｂが挿入されても、接触部４２ａは持ち上がらない。そのため、情報読取装置１にＩＤカード２Ｂが挿入されると、接触面４２ｆにＩＤカード２Ｂの奥端が接触する（図３（Ｂ）、図９（Ｂ）参照）。
【００７３】
図２等に示すように、上下方向において、押え部４１ａと突出部４３ｅとの間には、隙間が形成されている。上下方向における押え部４１ａと突出部４３ｅとの間の、接触面４２ｆよりも前側の部分は、照明５から射出された光（具体的には、後述のＬＥＤ組２６Ｂから射出された光）が通過する光通過部４８となっている。すなわち、押え部４１ａの上側、かつ、突出部４３ｅの下側の、接触面４２ｆよりも前側の部分は、照明５から射出され側面部１５ｂを透過した光が、ガラス板３に載置される情報記録媒体２の上面に向かって通過する光通過部４８となっている。
【００７４】
（第２の照明と媒体押え機構との位置関係）
図１１は、図２に示す照明５および媒体押え機構１２の位置関係を説明するための概略図である。
【００７５】
媒体押え機構１２が媒体配置部１６に取り付けられているときの、前後方向における接触面４２ｆの位置を第１位置Ｐ１とすると、図１１に示すように、照明５が有する６個のＬＥＤ組２６のうちの５個のＬＥＤ組２６は、第１位置Ｐ１よりも前側に配置され、残りの１個のＬＥＤ組２６は、第１位置Ｐ１よりも後ろ側（奥側）に配置されている。すなわち、照明５は、第１位置Ｐ１よりも前側に配置される５個のＬＥＤ組２６と、第１位置Ｐ１よりも後ろ側に配置される１個のＬＥＤ組２６とを備えている。
【００７６】
以下では、第１位置Ｐ１よりも前側に配置されるＬＥＤ組２６と、第１位置Ｐ１よりも後ろ側に配置されるＬＥＤ組２６とを区別して表す場合には、第１位置Ｐ１よりも前側に配置されるＬＥＤ組２６を「ＬＥＤ組２６Ａ」とし、第１位置Ｐ１よりも後ろ側に配置されるＬＥＤ組２６を「ＬＥＤ組２６Ｂ」とする。ＬＥＤ組２６Ｂは、前後方向において、押え部材４１の接続部４１ｃおよび保持部材４３の側面部４３ｃと同じ位置に配置されている。本形態のＬＥＤ組２６Ａは、第１位置Ｐ１よりも前側に配置される第１光源であり、ＬＥＤ組２６Ｂは、第１位置Ｐ１よりも奥側に配置される第２光源である。
【００７７】
なお、本形態では、ＬＥＤ組２６Ａによって情報記録媒体２の上面に照射される光によって情報記録媒体２の上面に影が生じないように、照明５のＬＥＤ組２６の光の照射角度および押え部４１ａの上面４１ｅの傾斜角度が設定されている。また、本形態では、照明４が有する６個のＬＥＤ組２６のうちの５個のＬＥＤ組２６も、第１位置Ｐ１より前側に配置され、残りの１個のＬＥＤ組２６は、第１位置Ｐ１よりも後ろ側（奥側）に配置されている。
【００７８】
（シェーディング補正用の補正データの取得方法）
情報読取装置１を組み立てた後等に行われる情報読取装置１の調整時には、撮像素子８で取得される画像データをシェーディング補正するためのシェーディング補正用の補正データを取得する。情報記録媒体２の上面に記録された情報の画像データに対する補正データを取得するときには、白色無地の調整用媒体をガラス板３に載置する。調整用媒体の大きさは、ＩＤカード２Ｂの大きさと同じである。また、情報記録媒体２の上面に記録された情報の画像データに対する補正データを取得するときには、媒体押え機構１２を媒体配置部１６から取り外した状態で、調整用媒体をガラス板３に載置する。
【００７９】
また、情報記録媒体２の上面に記録された情報の画像データに対する補正データを取得するときには、ＬＥＤ組２６Ｂを消灯させた状態でＬＥＤ組２６Ａを点灯させて調整用媒体の上面に光を照射する。すなわち、情報記録媒体２の上面に記録された情報の画像データに対する補正データを取得するときには、照明５を用いて（具体的には、５個のＬＥＤ組２６Ａのみを点灯させて）第１位置Ｐ１よりも前側のみから調整用媒体の上面に光を照射する。また、撮像素子８で取得された画像データに基づいて、シェーディング補正用の補正データを取得する。具体的には、情報読取装置１の制御部が補正データを取得して記憶する。
【００８０】
なお、情報記録媒体２の下面に記録された情報の画像データに対する補正データを取得するときにも、白色無地の調整用媒体をガラス板３に載置する。調整用媒体の大きさは、たとえば、パスポート２Ａの、ガラス板３に載置された部分の大きさと同じである。また、情報記録媒体２の下面に記録された情報の画像データに対する補正データを取得するときには、媒体押え機構１２を媒体配置部１６から取り外した状態で、あるいは、媒体押え機構１２を媒体配置部１６に取り付けた状態で、調整用媒体をガラス板３に載置する。また、照明４の６個のＬＥＤ組２６を点灯させて調整用媒体の下面に光を照射し、撮像素子８で取得された画像データに基づいて、シェーディング補正用の補正データを取得する。
【００８１】
（情報記録媒体に記録された情報の読取方法）
情報読取装置１で情報記録媒体２に記録された情報を読み取るときには、媒体配置部１６に媒体押え機構１２を取り付ける。すなわち、媒体配置部１６の中に媒体押え機構１２を配置する。情報読取装置１でパスポート２Ａに記録された情報を読み取る場合、パスポート２Ａは、個人情報が記録された表紙の裏面が下側を向くように情報読取装置１に挿入される。パスポート２Ａが情報読取装置１に挿入されると、押え部４１ａがパスポート２Ａによって持ち上げられてパスポート２Ａの左右方向の両端部が押え部４１ａによって上側から押えられるとともに、パスポート２Ａの奥端が接触部４２ａよりも奥側に入り込んで、パスポート２Ａがガラス板３に載置される。
【００８２】
パスポート２Ａがガラス板３に載置されると、照明４の６個のＬＥＤ組２６を点灯させてパスポート２Ａの下面に光を照射する。また、パスポート２Ａの下面に記録された情報の画像データを撮像素子８で取得する。この画像データは、補正データに基づいてシェーディング補正される。情報読取装置１でパスポート２Ａに記録された情報を読み取るときには、シャッタ３７は、第２遮光位置３７Ｂに配置されている。また、照明５は光を照射しない。
【００８３】
また、情報読取装置１でＩＤカード２Ｂに記録された情報を読み取る場合、ＩＤカード２Ｂが情報読取装置１に挿入される。ＩＤカード２Ｂが情報読取装置１に挿入されると、接触面４２ｆにＩＤカード２Ｂの奥端が接触して、ＩＤカード２Ｂがガラス板３に載置される。ＩＤカード２Ｂがガラス板３に載置されると、まず、ＩＤカード２Ｂの下面に記録された情報を読み取る。具体的には、照明４の６個のＬＥＤ組２６を点灯させてＩＤカード２Ｂの下面に光を照射する。また、ＩＤカード２Ｂの下面に記録された情報の画像データを撮像素子８で取得する。この画像データは、補正データに基づいてシェーディング補正される。このときには、シャッタ３７は、第２遮光位置３７Ｂに配置されている。また、照明５は光を照射しない。
【００８４】
ＩＤカード２Ｂの下面に記録された情報を読み取ると、その後、ＩＤカード２Ｂの上面に記録された情報を読み取る。このときには、まず、シャッタ３７を第１遮光位置３７Ａに移動させてから、ＬＥＤ組２６Ｂを消灯させた状態でＬＥＤ組２６Ａを点灯させてＩＤカード２Ｂの上面に光を照射する。すなわち、ＩＤカード２Ｂの上面に記録された情報を読み取るときには、照明５を用いて（具体的には、５個のＬＥＤ組２６Ａのみを点灯させて）第１位置Ｐ１よりも前側のみからＩＤカード２Ｂの上面に光を照射する。
【００８５】
また、ＩＤカード２Ｂの上面に記録された情報の画像データを撮像素子８で取得する。この画像データは、補正データに基づいてシェーディング補正される。このときには、照明４は光を照射しない。なお、ＩＤカード２Ｂに記録された情報を読み取る場合、ＩＤカード２Ｂの上面に記録された情報を読み取った後に、ＩＤカード２Ｂの下面に記録された情報を読み取っても良い。
【００８６】
（本形態の主な効果）
以上説明したように、本形態では、媒体押え機構１２を媒体配置部１６から取り外した状態でガラス板３に載置された調整用媒体の上面に光を照射し、撮像素子８で取得される画像データに基づいてシェーディング補正用の補正データを取得している。そのため、本形態では、シェーディング補正用の補正データを取得したときの媒体押え機構１２の位置と、ＩＤカード２Ｂの上面に記録された情報を実際に読み取るときの媒体押え機構１２の位置とがずれることはない。したがって、本形態では、ＩＤカード２Ｂの上面に記録された情報を実際に読み取るときに、撮像素子８で取得された画像データに対してシェーディング補正を行っても、シェーディング補正用の補正データを取得したときの媒体押え機構１２の位置と、ＩＤカード２Ｂの上面に記録された情報を実際に読み取るときの媒体押え機構１２の位置とのずれに起因して、シェーディング補正後の画像データの中に濃度が異常に高い部分や濃度が異常に低い部分が生じるといった不具合が発生することはない。
【００８７】
また、本形態では、押え部４１ａの上側の、接触面４２ｆよりも前側の部分は、照明５から射出された光が通過する光通過部４８となっており、ＩＤカード２Ｂの上面に記録された情報を読み取るときに、ＬＥＤ組２６Ｂを消灯させた状態でＬＥＤ組２６Ａを点灯させて第１位置Ｐ１よりも前側のみからＩＤカード２Ｂの上面に光を照射している。すなわち、本形態では、ＩＤカード２Ｂの上面に記録された情報を読み取るときに、照明５は、第１位置Ｐ１よりも奥側に配置される接続部４１ｃおよび側面部４３ｃ等の媒体押え機構１２の一部分によって光が遮られることのない位置のみからＩＤカード２Ｂの上面に光を照射している。そのため、本形態では、ＩＤカード２Ｂの上面に記録された情報を読み取るときに、媒体配置部１６に媒体押え機構１２が取り付けられていても、第１位置Ｐ１よりも奥側に配置される媒体押え機構１２の一部分に起因する照明ムラがＩＤカード２Ｂの上面において発生するのを防止することが可能になる。
【００８８】
さらに、本形態では、補正データを取得するときにも、ＬＥＤ組２６Ｂを消灯させた状態でＬＥＤ組２６Ａを点灯させて第１位置Ｐ１よりも前側のみから調整用媒体の上面に光を照射しているため、シェーディング補正用の補正データを取得するときに調整用媒体の上面に照射される光の照射条件と、ＩＤカード２Ｂの上面に記録された情報を読み取るときにＩＤカード２Ｂの上面に照射される光の照射条件とを同じにすることが可能になる。
【００８９】
このように本形態では、シェーディング補正用の補正データを取得したときの媒体押え機構１２の位置と、ＩＤカード２Ｂの上面に記録された情報を実際に読み取るときの媒体押え機構１２の位置とのずれに起因して、シェーディング補正後の画像データの中に濃度が異常に高い部分や濃度が異常に低い部分が生じるといった不具合が発生することはない。また、本形態では、ＩＤカード２Ｂの上面に記録された情報を読み取るときに、媒体配置部１６に媒体押え機構１２が取り付けられていても、第１位置Ｐ１よりも奥側に配置される媒体押え機構１２の一部分に起因する照明ムラがＩＤカード２Ｂの上面において発生するのを防止することが可能になる。さらに、本形態では、補正データを取得するときに調整用媒体の上面に照射される光の照射条件と、ＩＤカード２Ｂの上面に記録された情報を読み取るときにＩＤカード２Ｂの上面に照射される光の照射条件とを同じにすることが可能になる。したがって、本形態では、圧縮コイルバネ４４、４５の付勢力を利用して媒体配置部１６に媒体押え機構１２が着脱可能になっていても、ＩＤカード２Ｂの上面に記録された情報を正確に読み取ることが可能になる。
【００９０】
（他の実施の形態）
上述した形態は、本発明の好適な形態の一例ではあるが、これに限定されるものではなく本発明の要旨を変更しない範囲において種々変形実施が可能である。
【００９１】
上述した形態において、シェーディング補正用の補正データを取得するときに、後ろから２番目に配置されるＬＥＤ組２６ＡおよびＬＥＤ組２６Ｂを消灯させた状態で残りの４個のＬＥＤ組２６Ａを点灯させて、第１位置Ｐ１よりも前側のみから調整用媒体の上面に光を照射するとともに、ＩＤカード２Ｂの上面に記録された情報を読み取るときに、後ろから２番目に配置されるＬＥＤ組２６ＡおよびＬＥＤ組２６Ｂを消灯させた状態で残りの４個のＬＥＤ組２６Ａを点灯させて、第１位置Ｐ１よりも前側のみからＩＤカード２Ｂの上面に光を照射しても良い。
【００９２】
上述した形態において、パスポート２Ａの左右方向の両端部を上側から押える必要がなければ、情報読取装置１で情報記録媒体２に記録された情報を読み取るときに、媒体配置部１６から媒体押え機構１２が取り外されていても良い。すなわち、情報読取装置１は、媒体配置部１６から媒体押え機構１２が取り外された状態で使用されても良い。
【００９３】
媒体配置部１６から媒体押え機構１２が取り外された状態で情報読取装置１が使用される場合には、たとえば、情報記録媒体２の上面に記録された情報の画像データに対する補正データを取得するときに、媒体押え機構１２を媒体配置部１６から取り外した状態で調整用媒体をガラス板３に載置し、ＬＥＤ組２６Ｂを消灯させた状態でＬＥＤ組２６Ａを点灯させて調整用媒体の上面に光を照射し、撮像素子８で取得された画像データに基づいて、シェーディング補正用の補正データを取得する。この場合、ＩＤカード２Ｂの上面に記録された情報を読み取るときには、ＬＥＤ組２６Ｂを消灯させた状態でＬＥＤ組２６Ａを点灯させてＩＤカード２Ｂの上面に光を照射する。
【００９４】
また、媒体配置部１６から媒体押え機構１２が取り外された状態で情報読取装置１が使用される場合には、情報記録媒体２の上面に記録された情報の画像データに対する補正データを取得するときに、媒体押え機構１２を媒体配置部１６から取り外した状態で調整用媒体をガラス板３に載置し、照明５の６個のＬＥＤ組２６を点灯させて（すなわち、ＬＥＤ組２６ＡおよびＬＥＤ組２６Ｂを点灯させて）調整用媒体の上面に光を照射し、撮像素子８で取得された画像データに基づいて、シェーディング補正用の補正データを取得しても良い。この場合、ＩＤカード２Ｂの上面に記録された情報を読み取るときには、照明５の６個のＬＥＤ組２６を点灯させてＩＤカード２Ｂの上面に光を照射する。
【００９５】
上述した形態において、照明５は、ＬＥＤ組２６Ｂを備えていなくても良い。すなわち、照明５は、第１位置Ｐ１よりも前側に配置されるＬＥＤ組２６Ａのみを備えていても良い。この場合であっても、情報記録媒体２の上面に記録された情報の画像データに対する補正データを取得するときに、ＬＥＤ組２６Ａを点灯させて第１位置Ｐ１よりも前側のみから調整用媒体の上面に光を照射する。また、ＩＤカード２Ｂの上面に記録された情報を読み取るときには、ＬＥＤ組２６Ａを点灯させて第１位置Ｐ１よりも前側のみからＩＤカード２Ｂの上面に光を照射する。
【００９６】
上述した形態において、押え部４１ａは、ガラス板３に載置されたパスポート２Ａの左右方向の両端部のそれぞれの一部分に上側から接触してパスポート２Ａの左右方向の両端部の一部分を上側から押えていても良い。また、上述した形態において、押え部４１ａは、前後方向を回動の軸方向として保持部材４３に対して回動可能となっていても良い。さらに、上述した形態において、押え部材４１と接触部材４２とが一体で形成されていても良い。この場合には、たとえば、一体で形成される押え部材４１および接触部材４２の全体または一部がゴムで形成されていても良い。
【００９７】
上述した形態において、光学系６を通過した光が入射する結像光学系および撮像素子と、光学系７を通過した光が入射する結像光学系および撮像素子とが個別に設けられていても良い。また、上述した形態において、情報読取装置１は、ガラス板３に代えて、たとえば、アクリル板等の透明な樹脂板を備えていても良い。さらに、上述した形態において、情報記録媒体２は、パスポート２ＡおよびＩＤカード２Ｂ以外の媒体であっても良い。たとえば、情報記録媒体２は、運転免許証であっても良い。また、上述した形態では、情報読取装置１は、手動式の読取装置であるが、本発明の構成が適用される情報読取装置は、情報記録媒体の搬送機構を有する媒体搬送式の読取装置であっても良い。
【００９８】
なお、本明細書において、第２の情報記録媒体には、国際民間航空機関（ＩＣＡＯ）による旅券規格の準拠のＴＤ１（Ｍａｃｈｉｎｅ Ｒｅａｄａｂｌｅ  Ｔｒａｖｅｌ  Ｄｏｃｕｍｅｎｔｓ）や国際標準化機構（ＩＳＯ）のＩＤ−１に準拠のカード、運転免許証、永住者カード（Ｐｅｒｍａｎｅｎｔ  Ｒｅｓｉｄｅｎｔ  Ｃａｒｄ）、米国軍のＩＤカード等の各種カードが含まれるものとする。
【符号の説明】
【００９９】
１  情報読取装置
２  情報記録媒体
２Ａ  パスポート（第１の情報記録媒体）
２Ｂ  ＩＤカード（第２の情報記録媒体）
３  ガラス板（載置部材）
４  照明（第１の照明）
５  照明（第２の照明）
６  光学系（第１の光学系）
７  光学系（第２の光学系）
８  撮像素子
１２  媒体押え機構
１５  カバー部材
１５ａ  上面部
１５ｂ  側面部
１５ｃ  奥面部
１６  媒体配置部
２６Ａ  ＬＥＤ組（第１光源）
２６Ｂ  ＬＥＤ組（第２光源）
４１ａ  押え部
４１ｃ  接続部
４２ａ  接触部
４２ｆ  接触面
４８  光通過部
Ｐ１  第１位置
Ｘ  左右方向
Ｙ  前後方向
Ｙ１  前側
Ｙ２  奥側
【図１】
2020119451.tif 000003
【図２】
2020119451.tif 000004
【図３】
2020119451.tif 000005
【図４】
2020119451.tif 000006
【図５】
2020119451.tif 000007
【図６】
2020119451.tif 000008
【図７】
2020119451.tif 000009
【図８】
2020119451.tif 000010
【図９】
2020119451.tif 000011
【図１０】
2020119451.tif 000012
【図１１】
2020119451.tif 000013